(57)【特許請求の範囲】
【請求項１】
ガスタービン、蒸気タービン、発電機を一軸上に配置し、前記ガスタービンの排熱を排熱回収ボイラで蒸気エネルギーに変換して、前記蒸気タービンのトルクを発生させるように構成された一軸型コンバインドサイクル発電プラントの軸負荷制御装置において、
軸ガバナ設定信号またはこれ相当の信号に基づいて、系統が安定している時の軸仮想負荷を算出する手段と、
前記手段により算出された軸仮想負荷と軸負荷測定信号との偏差を得、当該偏差により軸負荷設定信号を補正する手段と、
を備えて成ることを特徴とするコンバインドサイクル制御装置。
【請求項２】
ガスタービン、蒸気タービン、発電機を一軸上に配置し、前記ガスタービンの排熱を排熱回収ボイラで蒸気エネルギーに変換して、前記蒸気タービンのトルクを発生させるように構成された一軸型コンバインドサイクル発電プラントの軸負荷制御装置において、
軸ガバナ設定信号またはこれ相当の信号に基づいて、系統が安定している時の軸仮想負荷を算出する手段と、
前記手段により算出された軸仮想負荷と軸負荷測定信号とを入力し、系統周波数の安定中は前記軸負荷測定信号と軸負荷設定信号との偏差に基づく軸負荷フィードバック制御を、また系統周波数変動中は前記軸仮想負荷と軸負荷設定信号との偏差に基づく軸仮想負荷フィードバック制御を行なうように切換える切換手段と、
を備えて成ることを特徴とするコンバインドサイクル制御装置。
【請求項３】
ガスタービン、蒸気タービン、発電機を一軸上に配置し、前記ガスタービンの排熱を排熱回収ボイラで蒸気エネルギーに変換して、前記蒸気タービンのトルクを発生させるように構成された一軸型コンバインドサイクル発電プラントの軸ガバナ制御装置において、
前記ガスタービンの燃料指令の下限値によりガスタービン燃料指令の下限を制限する手段と、
前記手段により制限されたガスタービン燃料指令と軸ガバナ指令との偏差に基づいて、蒸気タービン蒸気流量指令を減少させる手段と、
を備えて成ることを特徴とするコンバインドサイクル制御装置。
【請求項４】
前記請求項３に記載のコンバインドサイクル制御装置において、
前記ガスタービン燃料指令の変動による前記蒸気タービンの出力変動の遅れを、ガスタービン燃料指令で補正する手段を付加して成ることを特徴とするコンバインドサイクル制御装置。
【請求項５】
前記請求項３に記載のコンバインドサイクル制御装置において、
前記ガスタービン燃料指令の変動による前記蒸気タービンの出力変動の遅れを、蒸気タービン蒸気流量指令で補正する手段を付加して成ることを特徴とするコンバインドサイクル制御装置。
【請求項６】
ガスタービン、蒸気タービン、発電機を一軸上に配置し、前記ガスタービンの排熱を排熱回収ボイラで蒸気エネルギーに変換して、前記蒸気タービンのトルクを発生させるように構成された一軸型コンバインドサイクル発電プラントの軸ガバナ制御装置において、
軸ガバナ動作指令により蒸気タービン蒸気流量指令を優先的に変動させる手段と、
前記手段により変動された蒸気タービン蒸気流量指令と軸ガバナ指令との偏差に基づいて、ガスタービン燃料指令を減少させる手段と、
を備えて成ることを特徴とするコンバインドサイクル制御装置。
【請求項７】
ガスタービンを複数台設けて構成された系列プラントの軸ガバナ制御装置において、
前記ガスタービンの燃料指令の下限値により各軸のガスタービン燃料指令の下限を制限する手段と、
前記手段により制限されたガスタービン燃料指令と所定軸のガバナ指令との偏差に基づいて、他の軸のガスタービン燃料指令を減少させる手段と、
を備えて成ることを特徴とするガスタービン制御装置。
【発明の詳細な説明】
【０００１】
【発明の属する技術分野】
本発明は、ガスタービン、蒸気タービン、発電機を一軸上に配置して構成される一軸型コンバインドサイクル発電プラントにおけるコンバインドサイクル制御装置およびガスタービン制御装置に関するものである。
【０００２】
【従来の技術】
図１７は、この種の一般的な一軸型コンバインドサイクル発電プラントの構成例を示すブロック図である。
【０００３】
図１７において、一軸型コンバインドサイクル発電プラントは、ガスタービン１、蒸気タービン２、発電機３を同一軸上に配置して連結し、ガスタービン１の排ガス（排熱）を排熱回収ボイラ４に供給し、排熱回収ボイラ４で排ガスを蒸気エネルギーに変換した後、蒸気タービン加減弁２ａを経由して、蒸気タービン２に蒸気を供給する、すなわち蒸気タービン２のトルクを発生させるように構成されている。
【０００４】
図１８は、上記一軸型コンバインドサイクル発電プラントにおける、従来の軸負荷制御装置および軸ガバナ制御装置の構成例を示すブロック図である。
【０００５】
図１８において、軸負荷設定信号を軸負荷制御器５に入力する。
【０００６】
また、軸負荷制御器５から出力される軸負荷制御指令を、軸ガバナ制御器６に入力する。
【０００７】
さらに、軸ガバナ制御器６から出力される軸速度・負荷制御指令を、ガスタービン１を過温度から保護する排ガス温度制御器７の出力指令と、軸の昇速を行なう軸起動制御器８の出力指令と共に低値選択器９に入力し、低値選択器９により選択された信号を、ガスタービン燃料指令とするように構成している。
【０００８】
すなわち、軸負荷制御器５では、図示しない外部からの軸負荷設定信号と系統周波数とを入力し、系統周波数と定格周波数を設定している設定器５ａからの出力との偏差を比例演算器５ｂに入力する。
【０００９】
また、比例演算器５ｂから出力される周波数変動補償信号と軸負荷設定信号とを加算して、軸負荷補正設定信号を求める。
【００１０】
さらに、この軸負荷補正設定信号と軸負荷測定信号との偏差信号である軸負荷制御指令を、軸ガバナ制御器６へ出力する。
【００１１】
なお、比例演算器５ｂは、系統周波数変動時のガバナ動作によるガスタービン１の出力変動量を算出するように設定されている。
【００１２】
一方、軸ガバナ制御器６では、軸負荷制御指令をガバナ設定器６ａに入力する。
【００１３】
また、ガバナ設定器６ａから出力される軸ガバナ設定信号と軸速度測定信号との偏差を求めて、この偏差信号を比例演算器６ｂに入力する。
【００１４】
さらに、比例演算器６ｂから出力される軸出力指令に、設定器６ｃに設定している無負荷定格速度を維持するための燃料設定値を加算して、軸速度・負荷制御指令とするように構成している。
【００１５】
なお、ガバナ設定器６ａは、入力信号に応じて出力を増減し、積分器と同じ動きをする。
【００１６】
また、比例演算器６ｂは、ガバナ調定率のゲインが設定されており、５％調定率であれば、軸ガバナ設定信号と速度との偏差が５％動くことにより、軸負荷が１００％動くように設定している。
【００１７】
すなわち、速度が１００％で安定している場合、ガバナ設定器６ａが、１００％設定で軸速度・負荷制御指令が無負荷定格速度の燃料指令になり、１０５％設定で定格負荷燃料指令になるように構成している。
【００１８】
図１９は、上記一軸型コンバインドサイクル発電プラントにおける、従来の蒸気タービン速度制御装置の構成例を示すブロック図である。
【００１９】
図１９において、ガバナ設定器６ａの出力信号を、蒸気タ一ビン速度制御器１０に入力する。
【００２０】
また、蒸気タ一ビン速度制御器１０から出力される蒸気タービン速度制御信号と、スケジュール制御器１１からの出力信号とを低値選択器１２に入力し、低値選択器１２により選択された信号を、蒸気タ一ビン加減弁流量指令とするように構成している。
【００２１】
すなわち、蒸気タービン速度制御器１０では、軸ガバナ設定信号と設定器１０ａからの値とを加算した信号と軸速度測定信号との偏差を、比例演算器１０ｂに入力する。
【００２２】
そして、比例演算器１０ｂから出力される信号を、蒸気タービン速度制御信号とするように構成している。
【００２３】
なお、設定器１０ａは、２％程度の値が設定されており、また比例演算器１０ｂには、５０倍程度の値が設定されている。
【００２４】
これにより、軸速度が軸ガバナ設定以上になると、蒸気タービン加減弁２ａを閉め始めて、軸速度が軸ガバナ設定より２％高い値になると、蒸気タービン加減弁２ａを全閉するように動作する。
【００２５】
また、定格負荷では、軸速度が１０５％以上になると、蒸気タービン加減弁２ａが閉まり始めて、１０７％で全閉する。
【００２６】
さて、以上のように構成された従来の軸負荷制御装置および軸ガバナ制御装置においては、系統周波数が安定している場合には、図示しない外部からの軸負荷設定信号を増減させることにより、軸ガバナ設定を増減することによって、ガスタービン１の燃料を増減させている。
【００２７】
そして、ガスタービン１の負荷を増減させると同時に、ガスタービン１の排ガス温度および排ガス流量を増減させて、排熱回収ボイラ４の入熱を増減させている。
【００２８】
これにより、蒸気エネルギーを増減させて、蒸気タービン２の負荷を増減させている。
【００２９】
すなわち、ガスタービン１の負荷と蒸気タービン２の負荷とを同時に制御している。
【００３０】
なお、蒸気タービン加減弁２ａの動作は、起動時は蒸気条件が成立したことで、スケジュール制御により全閉から全開まで動作させており、また停止時は所定負荷まで降下したことで、スケジュ一ル制御により全開から全閉まで動作させている。
【００３１】
すなわち、通常の負荷運転中では蒸気タービン加減弁２ａは全開であり、蒸気タービン速度制御は負荷遮断発生時等に軸速度が過速度になるのを制限するために蒸気タービン加減弁２ａを閉める。
【００３２】
以上の説明のように、ガスタービン１のガバナ設定を軸の軸ガバナ設定信号として使用しており、また蒸気タ一ビン加減弁２ａを軸ガバナ設定に関係なくスケジュール制御で動作させている。
【００３３】
一方、系統周波数が変動した場合、従来の軸負荷制御装置では、系統周波数と定格周波数を設定している設定器５ａからの出力との偏差が発生し、比例演算器５ｂからガバナ動作によるガスタービン出力変動量を軸負荷設定信号に加算することにより、軸負荷補正設定信号と軸負荷測定信号との偏差が発生しないため、軸負荷制御指令が増減しないで軸ガバナ制御器６が安定する。
【００３４】
この場合、軸負荷補正設定信号の算出は、系統周波数上昇時は、ガバナ動作で負荷を減少させるため、軸負荷設定信号に対してガスタービン出力変動分を減少させて算出する。
【００３５】
また、系統周波数低下時は、この逆でガスタービン出力変動分を増加させて算出する。
【００３６】
この周波数変動補償機能は、系統周波数変動時にガバナ動作による負荷の変動が発生した場合に、負荷設定との偏差が発生し、あたかも外部からの負荷設定が増減したかのように、軸ガバナ設定信号を増減させてしまうのを防止させる機能である。
【００３７】
すなわち、周波数変動補償機能を持たせていないと、ガバナ動作を打ち消してしまう方向に動作するため、系統運用上好ましくないことから、かかる機能を持たせている。
【００３８】
例えば、この周波数変動補償機能が無くて、定格負荷運転中に何らかの原因で電力の需要に対して供給が多くなり、需要と供給のバランスが崩れて系統周波数が上昇した場合、ガバナ動作で負荷、すなわち電力供給を下げて、系統周波数を安定させるように動作する。
【００３９】
しかしながら、外部からの負荷設定は変動しないため、負荷制御の負荷設定に対して負荷実測信号が低下した状態になり、軸ガバナ設定信号を増加させるように動作してしまう。
【００４０】
そこで、このガバナ動作の逆動作を防止するために、ガバナ動作によるガスタービン出力変動量を軸負荷設定信号に加算するようにしている。
【００４１】
以下、従来の軸負荷制御装置に含まれる周波数変動補償機能において生じる問題点について、図２０を用いて詳細に説明する。
【００４２】
なお、図２０は、従来のコンバインドサイクル軸負荷制御装置の動作例を示す図である。
【００４３】
すなわち、従来の周波数変動補償機能では、ガスタービン１の出力しか補償していないことから、系統周波数変動が継続して、蒸気タービン２の出力が遅れて変動してきた場合に、軸負荷測定信号の変動量に対して軸負荷補正設定信号の補正量が少ない。
【００４４】
このため、軸負荷制御指令が変動し、軸ガバナ設定信号を誤ってガバナ動作の逆に変動させてしまうという問題がある。
【００４５】
また、最近のガスタービンは、低ＮＯｘ化のために予混合燃焼を行なっているが、この予混合燃焼では安定燃焼のための運用負荷帯が狭くなっており、系統周波数の上昇が大きい場合に、ガバナ動作により安定燃焼の負荷帯を逸脱してしまうという問題がある。
【００４６】
すなわち、この場合、安定燃焼の負荷帯は、例えば６０％〜１００％負荷の範囲であり、５％調定率のガバナであれば、２％の周波数変動で４０％の負荷を変動させるため、１００％負荷運転中に周波数が２％以上上昇すれば、安定燃焼の負荷帯を逸脱することになる。
【００４７】
【発明が解決しようとする課題】
以上のように、従来のコンバインドサイクル制御装置においては、系統周波数の変動が継続して蒸気タービン出力が変動した場合に、軸ガバナ設定信号をガバナ動作の逆に動作させてしまうという問題があった。
【００４８】
また、系統周波数の上昇が大きい場合に、ガスタービンの安定燃焼の負荷帯を逸脱してしまうという問題があった。
【００４９】
本発明の第１の目的は、系統周波数の変動が継続して蒸気タービン出力が変動した場合においても、軸ガバナ設定信号をガバナ動作の逆に動作させるのを防止して、系統運用を安定させることが可能なコンバインドサイクル制御装置を提供することにある。
【００５０】
また、本発明の第２の目的は、系統周波数の上昇が大きい場合においても、ガスタービンの安定燃焼の負荷帯を維持し、かつガバナ動作量を所定量に維持することが可能なコンバインドサイクル制御装置を提供することにある。
【００５１】
さらに、本発明の第３の目的は、系統周波数の上昇が大きい場合においても、ガスタービンの安定燃焼の負荷帯を維持し、かつガバナ動作量を所定量に維持することが可能なガスタービン制御装置を提供することにある。
【００５２】
【課題を解決するための手段】
上記第１の目的を達成するために、ガスタービン、蒸気タービン、発電機を一軸上に配置し、ガスタービンの排熱を排熱回収ボイラで蒸気エネルギーに変換して、蒸気タービンのトルクを発生させるように構成された一軸型コンバインドサイクル発電プラントの軸負荷制御装置において、
請求項１の発明では、軸ガバナ設定信号またはこれ相当の信号に基づいて、系統が安定している時の軸仮想負荷を算出する手段と、軸仮想負荷と軸負荷測定信号との偏差を得、当該偏差により軸負荷設定信号を補正する手段とを備えている。
【００５６】
従って、請求項１の発明のコンバインドサイクル制御装置においては、軸ガバナ設定信号もしくは相当信号から、系統周波数が安定している時の軸仮想負荷を算出し、この軸仮想負荷と軸負荷測定信号との偏差から、ガバナ動作による軸負荷の変動量を算出して、軸負荷設定信号を補正することにより、系統周波数変動が継続した場合にも、軸負荷測定信号と軸負荷設定信号とが一致するため、系統周波数変動によるガバナ動作を逆動作させることが無くなる。
【００５７】
これにより、系統運用を安定させることができる。
【００５８】
さらに、請求項２の発明では、軸ガバナ設定信号またはこれ相当の信号に基づいて、系統が安定している時の軸仮想負荷を算出する手段と、軸仮想負荷と軸負荷測定信号とを入力し、系統周波数の安定中は軸負荷測定信号と軸負荷設定信号との偏差に基づく軸負荷フィードバック制御を、また系統周波数変動中は軸仮想負荷と軸負荷設定信号との偏差に基づく軸仮想負荷フィードバック制御を行なうように切換える切換手段とを備えている。
【００５９】
従って、請求項２の発明のコンバインドサイクル制御装置においては、軸ガバナ設定信号もしくは相当信号から、系統周波数が安定している時の軸仮想負荷を算出し、系統周波数が変動している時には、軸仮想負荷フィードバック制御を行なうことにより、系統周波数変動による軸負荷の変動を無視して、軸負荷設定信号に追従して軸ガバナ設定信号を制御できるため、系統周波数変動によるガバナ動作を逆動作させることが無くなる。
【００６０】
これにより、系統運用を安定させることができる。
【００６１】
一方、上記第２の目的を達成するために、ガスタービン、蒸気タービン、発電機を一軸上に配置し、ガスタービンの排熱を排熱回収ボイラで蒸気エネルギーに変換して、蒸気タービンのトルクを発生させるように構成された一軸型コンバインドサイクル発電プラントの軸ガバナ制御装置において、請求項３の発明では、ガスタービンの燃料指令の下限値によりガスタービン燃料指令の下限を制限する手段と、制限されたガスタービン燃料指令と軸ガバナ指令との偏差に基づいて、蒸気タービン蒸気流量指令を減少させる手段とを備えている。
【００６２】
従って、請求項３の発明のコンバインドサイクル制御装置においては、系統周波数上昇時にガスタービン燃料指令の下限を制限することにより、ガスタ一ビン安定燃焼の負荷帯を維持することができる。
【００６３】
また、ガバナ動作によるガスタ一ビン燃料減動作が下限値で制限された時に、蒸気タ一ビン側の出力を減少させることにより、ガバナ動作による軸出力の減少を所定量に維持することができる。
【００６４】
これにより、コンバインドサイクル発電プラントの安定運転と系統運用の安定の両方を同時に満足させることができる。
【００６５】
また、請求項４の発明では、上記請求項３の発明のコンバインドサイクル制御装置において、ガスタービン燃料指令の変動による蒸気タービンの出力変動の遅れを、ガスタービン燃料指令で補正する手段を付加している。
【００６６】
従って、請求項４の発明のコンバインドサイクル制御装置においては、ガバナ動作によるガスタービン燃料減動作が下限値で制限された時に、制限された出力減少量を蒸気タービン側の出力を減少させた場合において、系統周波数の上昇が継続した場合に、ガスタービン燃料減少に伴なう蒸気タービン出力の減少が発生する。そして、この蒸気タービン出力の減少量をガスタービン出力を上昇させることで補正する、すなわちガスタービン燃料指令の変動による蒸気タービンの出力変動の遅れをガスタービン側で吸収することにより、ガバナ動作による軸出力変動量を所定量に維持することができる。
【００６７】
これにより、コンバインドサイクル発電プラントの安定運転と系統運用の安定の両方を同時に満足させることができる。
【００６８】
さらに、請求項５の発明では、上記請求項３の発明のコンバインドサイクル制御装置において、ガスタービン燃料指令の変動による蒸気タービンの出力変動の遅れを、蒸気タービン蒸気流量指令で補正する手段を付加している。
【００６９】
従って、請求項５の発明のコンバインドサイクル制御装置においては、ガバナ動作によるガスタービン燃料減動作が下限値で制限された時に、制限された出力減少量を蒸気タービン側の出力を減少させた場合において、系統周波数の上昇が継続した場合に、ガスタービン燃料減少に伴なう蒸気タービン出力の減少が発生する。そして、この蒸気タービン出力の減少量を蒸気タービン流量指令を増加させることで補正する、すなわちガスタービン燃料指令の変動による蒸気タービンの出力変動の遅れを蒸気タービン側で吸収することにより、蒸気タービン出力を上昇させて、ガバナ動作による軸出力変動量を所定量に維持することができる。
【００７０】
これにより、コンバインドサイクル発電プラントの安定運転と系統運用の安定の両方を同時に満足させることができる。
【００７１】
さらにまた、請求項６の発明では、軸ガバナ動作指令により蒸気タービン蒸気流量指令を優先的に変動させる手段と、変動された蒸気タービン蒸気流量指令と軸ガバナ指令との偏差に基づいて、ガスタービン燃料指令を減少させる手段とを備えている。
【００７２】
従って、請求項６の発明のコンバインドサイクル制御装置においては、系統周波数上昇時に、まず蒸気タービン出力を減少させ、蒸気タ一ビン加減弁が全閉になると、ガスタービン側の出力を減少させることにより、ガスタ一ビンの燃料指令を減少させるのを系統周波数上昇の大きい時に限定することができ、ガスタービンの安定燃焼を維持することができ、かつガバナ動作を所定量に維持することができる。
【００７３】
これにより、コンバインドサイクル発電プラントの安定運転と系統運用の安定の両方を同時に満足させることができる。
【００７４】
一方、上記第３の目的を達成するために、請求項７の発明では、ガスタービンを複数台設けて構成された系列プラントの軸ガバナ制御装置において、ガスタービンの燃料指令の下限値により各軸のガスタービン燃料指令の下限を制限する手段と、制限されたガスタービン燃料指令と所定軸のガバナ指令との偏差に基づいて、他の軸のガスタービン燃料指令を減少させる手段とを備えている。
【００７５】
従って、請求項７の発明のガスタービン制御装置においては、系統周波数上昇時に、各軸のガスタービン燃料指令の下限を制限することにより、各軸のガスタービンの安定燃焼の負荷帯を維持することができる。
【００７６】
また、所定軸でガバナ動作によるガスタービン燃料減動作が下限値で制限された時に、他の軸のガスタービン出力を減少させることにより、ガバナ動作による軸出力の減少を系列として所定量に維持することができる。
【００７７】
これにより、ガスタービンを複数台設けて構成された系列プラントの安定運転と系統運用の安定の両方を同時に満足させることができる。
【００７８】
【発明の実施の形態】
以下、本発明の実施の形態について図面を参照して詳細に説明する。
【００７９】
図１は、本実施の形態によるコンバインドサイクル制御装置の構成例を示すブロック図であり、前記図１８と同一部分または相当部分には同一符号を付してその説明を省略し、ここでは異なる部分についてのみ述べる。
【００８０】
本実施の形態のコンバインドサイクル制御装置において、前述した図１８の従来の装置と異なる点は、系統周波数と定格周波数を設定している設定器５ａからの出力との偏差を、比例演算器５ｂに入力すると共に、比例演算器５ｃに入力してガバナ動作によるＳＴ出力変動目標量を算出し、排熱回収ボイラ４の遅れ時間を設定した一次遅れ演算器５ｄに入力し、さらに一次遅れ演算器５ｄから出力される蒸気タービン２の出力変動量と、比例演算器５ｂから出力されるガスタービン１の出力変動量とを加算して、総合変動量である周波数変動補償信号を求め、この周波数変動補償信号により軸負荷設定信号を補正するようにした点である。
【００８１】
すなわち、本実施の形態のコンバインドサイクル制御装置では、系統周波数の変動によるガスタービン１の出力変動量を算出すると共に、系統周波数の変動による蒸気タービンの出力変動量を算出し、これらガスタービン出力変動量と蒸気タービン出力変動量とを加算して総合変動量を得、この総合変動量により軸負荷設定信号を補正する構成としている。
【００８２】
次に、以上のように構成した本実施の形態のコンバインドサイクル制御装置においては、系統周波数が変動した時に、ガバナ動作による蒸気タービン２の出力変動量を算出することができる。そして、ガバナ動作によるガスタービン１の出力変動量と、蒸気タービン２の出力変動量とを加算して得られる周波数変動補償信号で軸負荷設定信号を補正することにより、軸負荷測定信号との偏差が無くなり、軸ガバナ設定信号を逆動作させることが無くなる。
【００８３】
図２は、この場合における周波数変動補償の動作例を示す時間特性図である。
【００８４】
図２に示すように、系統周波数変動に対してガスタービン１の出力は瞬時に変動し、蒸気タービン２の出力は遅れて変動する。よって、この両者を加算した信号を周波数変動補償信号にすることにより、ガバナ動作による軸負荷測定信号の変動に合わせるように、軸負荷設定信号の補正を行なうことができる。
【００８５】
このようにして、ガバナ動作の逆動作を無くし、系統運用を安定に行なうことができる。
【００８６】
なお、排熱回収ボイラ４の特性（容量等により決まる）によっては、一次遅れ演算器５ｄの時定数を蒸気圧力等で補正してもよい。
【００８７】
また、一次遅れ演算器５ｄの代わりに、二次遅れ演算器を使用したり、あるいは一次遅れ演算器５ｄの前に無駄時間演算器を追加して、蒸気タービン２の出力変動量の算出精度をさらに高めることが考えられる。
【００８８】
上述したように、本実施の形態のコンバインドサイクル制御装置では、ガスタービン燃料変動後遅れて変動する蒸気タービン２の出力を算出して、ガスタービン１の出力変動量との総合変動量で軸負荷設定信号を補正するようにしているので、負荷運転中に系統周波数変動が継続して蒸気タービン２の出力が変動した場合にも、軸負荷測定信号と軸負荷設定信号とが一致するため、軸ガバナ設定信号をガバナ動作の逆に動作させるのを防止し、すなわち系統周波数変動によるガバナ動作を逆動作させることが無くなり、これにより系統運用を安定させることが可能となる。
【００８９】
また、従来の装置に比べて、比例演算器５ｃ、一次遅れ演算器５ｄ、および加算手段を付加した構成とするだけでよいため、構成を複雑とすることなく、既設の装置に容易に適用することが可能となる。
【００９０】
図３は、本実施の形態によるコンバインドサイクル制御装置の構成例を示すブロック図であり、前記図１８と同一部分または相当部分には同一符号を付してその説明を省略し、ここでは異なる部分についてのみ述べる。
【００９１】
本実施の形態のコンバインドサイクル制御装置において、前述した図１８の従来の装置と異なる点は、系統周波数の入力と、定格周波数を設定している設定器５ａおよび比例演算器５ｂをそれぞれ省略した点、およびガバナ設定器６ａから出力される軸ガバナ設定信号もしくはこれに相当する信号を関数発生器５ｅに入力して、系統が安定している時の軸仮想負荷を算出し、この軸仮想負荷と軸負荷測定信号との偏差を周波数変動補償信号として、軸負荷設定信号と加算して軸負荷補正設定信号を算出し、さらにこの軸負荷補正設定信号と軸負荷測定信号との偏差を軸負荷制御指令として、軸ガバナ設定器６へ出力するようにした点である。
【００９２】
図４は、上記関数発生器５ｅの設定の一例として、調定率５％の時の設定を示す特性図である。
【００９３】
すなわち、本実施の形態のコンバインドサイクル制御装置では、軸ガバナ設定信号またはこれ相当の信号に基づいて、系統が安定している時の軸仮想負荷を算出し、この軸仮想負荷と軸負荷測定信号との偏差を得、この偏差により軸負荷設定信号を補正する構成としている。
【００９４】
次に、以上のように構成した本実施の形態のコンバインドサイクル制御装置においては、軸ガバナ設定信号もしくは相当信号から、系統が安定している時の軸仮想負荷を算出することができる。そして、系統周波数が変動した時に、この軸仮想負荷と軸負荷測定信号との偏差から、系統周波数変動時の軸ガバナ動作による軸負荷の変動量を算出して軸負荷補正設定信号を補正することにより、系統周波数変動が継続した場合にも、軸負荷補正設定信号と軸負荷測定信号との偏差が無くなり、軸ガバナ設定信号を逆動作させることがなくなる。
【００９５】
図５は、この場合における周波数変動補償の動作例を示す時間特性図である。
【００９６】
図５に示すように、軸負荷補正設定信号を軸負荷の変動量だけ補正することにより、軸負荷測定信号との偏差が無くなり、軸ガバナ設定信号の変動をなくすことができる。
【００９７】
上述したように、本実施の形態のコンバインドサイクル制御装置では、軸ガバナ設定信号もしくは相当信号から、系統周波数が安定している時の軸仮想負荷を算出し、この軸仮想負荷と軸負荷測定信号との偏差から、ガバナ動作による軸負荷の変動量を算出して、軸負荷設定信号を補正するようにしているので、負荷運転中に系統周波数変動が継続して蒸気タービン２の出力が変動した場合にも、軸負荷測定信号と軸負荷設定信号とが一致するため、軸ガバナ設定信号をガバナ動作の逆に動作させるのを防止し、すなわち系統周波数変動によるガバナ動作を逆動作させることが無くなり、これにより系統運用を安定させることが可能となる。
【００９８】
また、従来の装置に比べて、関数発生器５ｅ、および幾つかの加算手段のみで構成するだけでよいため、極めて簡単な構成とすることが可能となる。
【００９９】
図６は、本実施の形態によるコンバインドサイクル制御装置の構成例を示すブロック図であり、前記図１８と同一部分または相当部分には同一符号を付してその説明を省略し、ここでは異なる部分についてのみ述べる。
【０１００】
本実施の形態のコンバインドサイクル制御装置において、前述した図１８の従来の装置と異なる点は、系統周波数の入力と、定格周波数を設定している設定器５ａおよび比例演算器５ｂをそれぞれ省略した点、およびガバナ設定器６ａから出力される軸ガバナ設定信号もしくはこれに相当する信号を関数発生器５ｅに入力して、系統が安定している時の軸仮想負荷を算出し、さらにこの軸仮想負荷と軸負荷測定信号とを信号切換器５ｆに入力し、系統周波数安定中は軸負荷測定信号を、系統周波数変動中は軸仮想負荷をそれぞれ出力して、軸負荷設定信号との偏差に基づくフィードバック制御指令を軸負荷制御指令として、軸ガバナ設定器６へ出力するようにした点である。
【０１０１】
すなわち、本実施の形態のコンバインドサイクル制御装置では、軸ガバナ設定信号またはこれ相当の信号に基づいて、系統が安定している時の軸仮想負荷を算出し、この軸仮想負荷と軸負荷測定信号とを入力し、系統周波数の安定中は軸負荷測定信号と軸負荷設定信号との偏差に基づく軸負荷フィードバック制御を、また系統周波数変動中は軸仮想負荷と軸負荷設定信号との偏差に基づく軸仮想負荷フィードバック制御を行なう構成としている。
【０１０２】
次に、以上のように構成した本実施の形態のコンバインドサイクル制御装置においては、系統周波数が変動した時には、軸負荷フィードバック制御から、蒸気タービン出力変動の遅れの影響を受けない系統周波数が安定している時の軸仮想負荷をフィードバックとする制御に切換えることができるため、軸ガバナ設定信号を逆動作させることが無くなる。
【０１０３】
図７は、この場合における周波数変動補償の動作例を示す時間特性図である。
【０１０４】
図７に示すように、系統周波数変動時は、軸負荷設定信号が軸仮想負荷との偏差が無いために、軸ガバナ設定信号の変動をなくすことができる。
【０１０５】
上述したように、本実施の形態のコンバインドサイクル制御装置では、軸ガバナ設定信号もしくは相当信号から、系統周波数が安定している時の軸仮想負荷を算出し、系統周波数が変動している時には、軸仮想負荷フィードバック制御を行なうようにしているので、系統周波数変動による軸負荷の変動を無視して、軸負荷設定信号に追従して軸ガバナ設定信号を制御できるため、軸ガバナ設定信号をガバナ動作の逆に動作させるのを防止し、すなわち系統周波数変動によるガバナ動作を逆動作させることが無くなり、これにより系統運用を安定させることが可能となる。
【０１０６】
また、従来の装置に比べて、関数発生器５ｅ、信号切換器５ｆ、および加算手段のみで構成するだけでよいため、極めて簡単な構成とすることが可能となる。
【０１０７】
図８は、本実施の形態によるコンバインドサイクル制御装置の構成例を示すブロック図であり、前記図１８および図１９１９と同一部分または相当部分には同一符号を付してその説明を省略し、ここでは異なる部分についてのみ述べる。
【０１０８】
本実施の形態のコンバインドサイクル制御装置において、まず、前述した図１８の従来の装置と異なる点は、設定器６ｃからの出力と比例演算器６ｂからの出力とを加算した信号の下限を制限する（例えば、ガスタービン１の最大出力の７０％以下とならないように制限する）下限制限器６ｄを付加し、この下限制限器６ｄからの出力信号を軸速度・負荷制御指令とした点、および下限制限器６ｄの入力信号からその出力信号を減算したガスタービン燃料制限信号を、蒸気タービン速度制御器１０に出力するようにした点である。
【０１０９】
また、前述した図１９の従来の装置と異なる点は、蒸気タービン速度制御器１０に上記ガスタービン燃料制限信号を入力し、ガスタービン燃料指令を蒸気タービン流量指令に出力レベルで等価変換する比例演算器１０ｃを通した信号を、比例演算器１０ｂからの出力信号に加算し、この加算信号を蒸気タービン速度制御信号とするようにした点である。
【０１１０】
すなわち、本実施の形態のコンバインドサイクル制御装置では、ガスタービン燃料指令の下限値によりガスタービン燃料指令の下限を制限し、この制限されたガスタービン燃料指令と軸ガバナ指令との偏差に基づいて、蒸気タービン蒸気流量指令を減少させる構成としている。
【０１１１】
次に、以上のように構成した本実施の形態のコンバインドサイクル制御装置においては、系統周波数上昇が大きく、ガバナ動作によるガスタービン燃料減指令が大きい場合にも、下限制限器６ｄによりガスタービン１の安定燃焼のための最低燃料を維持することができる。
【０１１２】
また、ガバナ動作によるガスタービン１の燃料減動作が、下限制限器６ｄで制限された時には、この制限された出力減少量、すなわちガスタービン燃料制限信号を、蒸気タービン速度制御器１０に入力して、蒸気タービン２の蒸気流量を減少させる。
【０１１３】
すなわち、ガスタービン１の出力の減少制限量を蒸気タービン２側で出力減少させることにより、ガバナ動作による軸出力の減少を所定量に維持することができる。
【０１１４】
なお、下限制限器６ｄは、軸負荷測定信号が所定の値以上になったことで動作させ、所定の値以下になったことで動作を停止させる。
【０１１５】
すなわち、起動・停止中は、下限制限動作を停止させて、下限制限器６ｄの入力信号と出力信号とが一致するようにする。
【０１１６】
図９は、この場合におけるガバナ指令の動作例を示す時間特性図である。
【０１１７】
図９に示すように、系統周波数上昇時のガバナ動作によるガスタービン１の出力減少指令が制限された時に、蒸気タービン２の出力を減少させることにより、軸出力としてガバナ動作量を所定量にすることができる。
【０１１８】
このようにして、系統周波数上昇時にガスタービン１の安定燃焼の負荷帯を維持することができると共に、ガバナ動作による軸出力の減少を所定量に維持することができる。
【０１１９】
上述したように、本実施の形態のコンバインドサイクル制御装置では、系統周波数上昇時に、ガスタービン燃料指令の下限を制限するようにしているので、ガスタ一ビン１の安定燃焼の負荷帯を維持することが可能となる。
【０１２０】
また、ガバナ動作によるガスタ一ビン１の燃料減動作が下限値で制限された時に、蒸気タ一ビン２側の出力を減少させるようにしているので、ガバナ動作による軸出力の減少を所定量に維持することが可能となる。
【０１２１】
これにより、コンバインドサイクル発電プラントの安定運転と系統運用の安定の両方を同時に満足させることができる。
【０１２２】
図１０は、本実施の形態によるコンバインドサイクル制御装置の構成例を示すブロック図であり、前記図１８および図１９と同一部分または相当部分には同一符号を付してその説明を省略し、ここでは異なる部分についてのみ述べる。
【０１２３】
本実施の形態のコンバインドサイクル制御装置において、まず、前述した図１８の従来の装置と異なる点は、設定器６ｃからの出力と比例演算器６ｂからの出力とを加算した信号に、比例演算器６ｂからの出力と軸負荷測定信号をガスタ一ビン燃料指令に出力レベルで等価変換する比例演算器６ｅからの出力との偏差を、ガスタービン燃料指令補正信号として加算した信号の下限を制限する下限制限器６ｄを付加し、この下限制限器６ｄからの出力信号を軸速度・負荷制御指令とした点、および下限制限器６ｄの入力信号からその出力信号を減算したガスタービン燃料制限信号を、蒸気タービン速度制御器１０に出力するようにした点である。
【０１２４】
また、前述した図１９の従来の装置と異なる点は、蒸気タービン速度制御器１０に上記ガスタービン燃料制限信号を入力し、ガスタービン燃料指令を蒸気タービン流量指令に出力レベルで等価変換する比例演算器１０ｃを通した信号を、比例演算器１０ｂからの出力信号に加算し、この加算信号を蒸気タービン速度制御信号とするようにした点である。
【０１２５】
すなわち、本実施の形態のコンバインドサイクル制御装置では、前述した図８の第４の実施の形態のコンバインドサイクル制御装置における、ガスタービン燃料指令の変動による蒸気タービン２の出力変動の遅れを、ガスタービン燃料指令で補正する構成としている。
【０１２６】
次に、以上のように構成した本実施の形態のコンバインドサイクル制御装置においては、系統周波数上昇が大きく、ガバナ動作によるガスタービン燃料減指令が大きい場合にも、下限制限器６ｄによりガスタービン１の安定燃焼のための最低燃料を維持することができる。
【０１２７】
また、ガバナ動作によるガスタービン１の燃料減動作が、下限制限器６ｄで制限された時には、この制限された出力減少量、すなわちガスタービン燃料制限信号を、蒸気タービン速度制御器１０に入力して、蒸気タービン２の蒸気流量を減少させる。
【０１２８】
すなわち、ガスタービン１の出力の減少制限量を蒸気タービン２側で出力減少させることにより、ガバナ動作による軸出力の減少を所定量に維持することができる。
【０１２９】
また、前述した第４の実施の形態のコンバインドサイクル制御装置では、系統周波数の上昇が継続した時に、ガスタービン燃料指令の変動による蒸気タービン２の出力変動の遅れを補償することができない。
【０１３０】
この点、本実施の形態では、軸負荷測定信号に相当するガスタービン燃料指令を算出し、このガスタービン燃料指令と軸出力指令との偏差を下限制限器６ｄの入力に加算していることにより、ガスタービン燃料指令変動による蒸気タービン２の出力変動を、ガスタービン１の出力を上昇させることで補正する、すなわちガスタービン燃料指令の変動による蒸気タービン２の出力変動の遅れをガスタービン１側で吸収することにより、ガバナ動作による軸出力変動量を所定量に維持することができる。
【０１３１】
なお、下限制限器６ｄは、軸負荷測定信号が所定の値以上となったことで動作させ、所定の値以下になったことで動作を停止させる。
【０１３２】
すなわち、起動・停止中は、下限制限動作を停止させて、下限制限器６ｄの入力信号と出力信号とが一致するようにする。
【０１３３】
図１１は、この場合におけるガバナ指令の動作例を示す時間特性図である。
【０１３４】
図１１に示すように、系統周波数上昇時のガバナ動作によるガスタービン１の出力減少指令が制限された時に、蒸気タービン２の出力を減少させることにより、軸出力としてガバナ動作量を所定量にすることができる。
【０１３５】
また、系統周波数上昇が継続した時に、ガスタービン１の出力減少に伴なって蒸気タービン２の出力が減少するが、この蒸気タ一ビン２の出力の減少量を、ガスタービン燃料指令を増加させて軸出力が所定量を維持するように補正する。
【０１３６】
このようにして、系統周波数上昇時にガスタービン１の安定燃焼の負荷帯を維持することができると共に、ガバナ動作による軸出力の減少を所定量に維持することができる。
【０１３７】
上述したように、本実施の形態のコンバインドサイクル制御装置では、ガバナ動作によるガスタービン１の燃料減動作が下限値で制限された時に、制限された出力減少量を蒸気タービン２側の出力を減少させた場合において、系統周波数の上昇が継続した場合に、ガスタービン１の燃料減少に伴なう蒸気タービン２の出力の減少が発生するが、この蒸気タービン２の出力の減少量をガスタービン１の出力を上昇させることで補正するようにしているので、ガバナ動作による軸出力変動量を所定量に維持することがことが可能となる。
【０１３８】
これにより、コンバインドサイクル発電プラントの安定運転と系統運用の安定の両方を同時に満足させることができる。
【０１３９】
図１２は、本実施の形態によるコンバインドサイクル制御装置の構成例を示すブロック図であり、前記図１８および図１９と同一部分または相当部分には同一符号を付してその説明を省略し、ここでは異なる部分についてのみ述べる。
【０１４０】
本実施の形態のコンバインドサイクル制御装置において、まず、前述した図１８の従来の装置と異なる点は、設定器６ｃからの出力と比例演算器６ｂからの出力とを加算した信号の下限を制限する下限制限器６ｄを付加し、この下限制限器６ｄからの出力信号を軸速度・負荷制御指令とした点、および軸負荷測定信号をガスタービン燃料指令に出力レベルで等価変換する比例演算器６ｅからの出力と比例演算器６ｂからの出力との偏差を蒸気タービン蒸気流量指令補正信号として、下限制限器６ｄの入力信号からその出力信号を減算した信号に加算し、この加算信号であるガスタービン燃料制限信号を、蒸気タービン速度制御器１０に出力するようにした点である。
【０１４１】
また、前述した図１９の従来の装置と異なる点は、蒸気タービン速度制御器１０に上記ガスタービン燃料制限信号を入力し、ガスタ一ビン燃料指令を蒸気タービン流量指令に出力レベルで等価変換する比例演算器１０ｃを通した信号を、比例演算器１０ｂの出力信号から加算し、この信号を蒸気タービン速度制御信号とするようにした点である。
【０１４２】
すなわち、本実施の形態のコンバインドサイクル制御装置では、前述した図８の第４の実施の形態のコンバインドサイクル制御装置における、ガスタービン燃料指令の変動による蒸気タービン２の出力変動の遅れを、蒸気タービン蒸気流量指令で補正する構成としている。
【０１４３】
次に、以上のように構成した本実施の形態のコンバインドサイクル制御装置においては、系統周波数上昇が大きく、ガバナ動作によるガスタービン燃料減指令が大きい場合にも、下限制限器６ｄによりガスタービン１の安定燃焼のための最低燃料を維持することができる。
【０１４４】
また、ガバナ動作によるガスタービン１の燃料減動作が、下限制限器６ｄで制限された時には、この制限された出力減少量、すなわちガスタービン燃料制限信号を、蒸気タービン速度制御器１０に入力して、蒸気タービン２の蒸気流量を減少させる。
【０１４５】
すなわち、ガスタービン１の出力の減少制限量を蒸気タービン２側で出力減少させることにより、ガバナ動作による軸出力の減少を所定量に維持できる。
【０１４６】
また、前述した第４の実施の形態のコンバインドサイクル制御装置では、系統周波数の上昇が継続した時に、ガスタービン燃料指令の変動による蒸気タービン２の出力変動の遅れを補償することができない。
【０１４７】
この点、本実施の形態では、軸負荷測定信号に相当するガスタービン燃料指令を算出し、このガスタービン燃料指令と軸出力指令との偏差をガスタービン燃料制限信号に加算していることにより、ガスタービン燃料指令変動による蒸気タービン２の出力変動を、ＳＴ出力を上昇させることで補正する、すなわちガスタービン燃料指令の変動による蒸気タービン２の出力変動の遅れを蒸気タービン２側で吸収することにより、蒸気タービン２出力を上昇させて、ガバナ動作による軸出力変動量を所定量に維持することができる。
【０１４８】
なお、下限制限器６ｄは、軸負荷測定信号が所定の値以上になったことで動作させ、所定の値以下になったことで動作を停止させる。
【０１４９】
すなわち、起動・停止中は、下限制限動作を停止させて、下限制限器６ｄの入力信号と出力信号とが一致するようにする。
【０１５０】
図１１は、この場合におけるガバナ指令の動作例を示す時間特性図である。
【０１５１】
図１１に示すように、系統周波数上昇時のガバナ動作によるガスタービン１の出力減少指令が制限された時に、蒸気タービン２の出力を減少させることにより、軸出力としてガバナ動作量を所定量にすることができる。
【０１５２】
また、系統周波数上昇が継続した時に、ガスタービン１の出力減少に伴なって蒸気タービン２の出力が減少するが、この蒸気タ一ビン２の出力の減少量を、ガスタービン燃料指令を増加させて軸出力が所定量を維持するように補正する。
【０１５３】
このようにして、系統周波数上昇時にガスタービン１の安定燃焼の負荷帯を維持することができると共に、ガバナ動作による軸出力の減少を所定量に維持することができる。
【０１５４】
上述したように、本実施の形態のコンバインドサイクル制御装置では、ガバナ動作によるガスタービン１の燃料減動作が下限値で制限された時に、制限された出力減少量を蒸気タービン２側の出力を減少させた場合において、系統周波数の上昇が継続した場合に、ガスタービン１の燃料減少に伴なう蒸気タービン２の出力の減少が発生するが、この蒸気タービン２の出力の減少量を蒸気タービン２の蒸気流量指令を増加させることで補正するようにしているので、ガバナ動作による軸出力変動量を所定量に維持することがことが可能となる。
【０１５５】
これにより、コンバインドサイクル発電プラントの安定運転と系統運用の安定の両方を同時に満足させることができる。
【０１５６】
図１３は、本実施の形態によるコンバインドサイクル制御装置の構成例を示すブロック図であり、前記図１８および図１９と同一部分または相当部分には同一符号を付してその説明を省略し、ここでは異なる部分についてのみ述べる。
【０１５７】
本実施の形態のコンバインドサイクル制御装置において、まず、前述した図１８の従来の装置と異なる点は、ガバナ設定器６ａから出力される軸ガバナ設定信号と定格軸速度を設定している設定器６ｆからの出力との偏差と、後述する蒸気タービン速度制御制限信号をガスタービン燃料指令に出力レベルで等価変換する関数発生器６ｇからの出力とを加算してガスタービン燃料指令補正信号を算出し、このガスタービン燃料指令補正信号、および軸ガバナ設定信号と軸速度測定信号との偏差を信号切換器６ｈに入力し、系統周波数安定中は軸ガバナ設定信号と軸速度測定信号との偏差を、また系統周波数変動中はガスタービン燃料指令補正信号を、比例演算器６ｂに入力するようにした点である。
【０１５８】
また、前述した図１９の従来の装置と異なる点は、設定器１０ａを省略した点、および比例演算器１０ｂからの出力信号の下限を制限（蒸気タービン加減弁全閉位置に相当する値を設定している）する下限制限器１０ｄを付加し、この下限制限器１０ｄからの出力信号を蒸気タービン速度制御信号とし、下限制限器１０ｄの入力信号からその出力信号を減算した蒸気タービン速度制御制限信号を、軸ガバナ制御器６に出力するようにした点である。
【０１５９】
すなわち、本実施の形態のコンバインドサイクル制御装置では、軸ガバナ動作指令により蒸気タービン蒸気流量指令を優先的に変動させ、この変動された蒸気タービン蒸気流量指令と軸ガバナ指令との偏差に基づいて、ガスタービン燃料指令を減少させる構成としている。
【０１６０】
次に、以上のように構成した本実施の形態のコンバインドサイクル制御装置においては、系統周波数が変動した時には、蒸気タービン蒸気流量指令が優先的に変動し、蒸気タービン加減弁２ａが全閉した後にガスタービン燃料指令を変動させることになる。
【０１６１】
これにより、周波数変動が小さい時には、ガスタービン１の負荷を変動させることなく、系統運用を安定させることができる。
【０１６２】
また、周波数変動が大きい時にも、ガスタービン１の安定燃焼を維持することができ、かつガバナ動作を所定量に維持することができる。
【０１６３】
なお、比例演算器１０ｂの設定は、５％調定率となる値に変更する。
【０１６４】
図１４は、この場合におけるガバナ指令の動作例を示す時間特性図である。
【０１６５】
図１４に示すように、系統周波数変動時には、蒸気タービン蒸気流量指令が優先的に変動し、蒸気タービン加減弁２ａ全閉後にガスタービン燃料指令を変動させることにより、ガスタービン１の安定燃焼を維持することができ、かつガバナ動作を所定量に維持することができる。
【０１６６】
上述したように、本実施の形態のコンバインドサイクル制御装置では、系統周波数上昇時に、まず蒸気タービン２の出力を減少させ、蒸気タ一ビン加減弁２ａが全閉になると、ガスタービン１側の出力を減少させるようにしているので、ガスタ一ビン１の燃料指令を減少させるのを系統周波数上昇の大きい時に限定することができ、ガスタービン１の安定燃焼を維持することができ、かつガバナ動作を所定量に維持することが可能となる。
【０１６７】
これにより、コンバインドサイクル発電プラントの安定運転と系統運用の安定の両方を同時に満足させることができる。
【０１６８】
図１５は、本実施の形態によるコンバインドサイクル制御装置の構成例を示すブロック図であり、前記図１８と同一部分または相当部分には同一符号を付してその説明を省略し、ここでは異なる部分についてのみ述べる。
【０１６９】
なお、図１５中の６Ａ〜６Ｄは、それぞれコンバインドサイクルＡ〜Ｄ軸に対応して設けられている軸ガバナ制御器を示すものである。
【０１７０】
また、各軸ガバナ制御器６Ａ〜６Ｄの構成は同一であるので、ここでは一例として軸ガバナ制御器６Ａについてのみ説明し、他の軸ガバナ制御器６Ｂ〜６Ｄの説明については、軸ガバナ制御器６Ａと同様であるためその説明を省略する。
【０１７１】
本実施の形態のコンバインドサイクル制御装置において、前述した図１８の従来の装置と異なる点は、コンバインドサイクルを複数台（本例では４台）設けた系列プラントであり、軸ガバナ制御器が６Ａ〜６Ｄの４台ある点、それぞれの軸ガバナ制御器６Ａ〜６Ｄに、設定器６ｃＡからの出力と比例演算器６ｂＡからの出力とを加算した信号と、他の軸からの燃料制限信号を加算した信号の下限を制限する下限制限器６ｄＡを付加し、この下限制限器６ｄＡからの出力信号を軸速度・負荷制御指令とした点、および下限制限器６ｄＡの入力信号からその出力信号を減算したガスタービン燃料制限信号を、他の軸ガバナ制御器６Ｂに出力するようにした点である。
【０１７２】
すなわち、本実施の形態のコンバインドサイクル制御装置では、ガスタービン１の燃料指令の下限値により各軸Ａ〜Ｄのガスタービン燃料指令の下限を制限し、この制限されたガスタービン燃料指令と所定軸のガバナ指令との偏差に基づいて、他の軸のガスタービン燃料指令を減少させる構成としている。
【０１７３】
次に、以上のように構成した本実施の形態のコンバインドサイクル制御装置においては、複数台設けた軸ガバナ制御器６に番号を付けて、ガスタービン燃料制限信号を番号順に渡すようにし、最終番号のガスタービン燃料制限信号は先頭番号に渡すようにする。
【０１７４】
例えば、軸ガバナ制御器６を６Ａ〜６Ｄの４台設けた系列プラントで、最低安定負荷が６０％のガスタービン１である場合で、Ａ軸が１００％で運転しており、Ｂ軸が７０％、Ｃ軸が７５％、Ｄ軸が９０％でそれぞれ運転している時に、系統周波数が１％上昇し、軸ガバナ動作で各軸Ａ〜Ｄの負荷を２０％低下させるように動作した場合の状況は、次のようになる。
【０１７５】
図１６は、この場合における各軸Ａ〜Ｄのガバナ指令の動作例を示す時間特性図である。
【０１７６】
図１６に示すように、Ｂ軸が７０％負荷から最低負荷の６０％まで１０％負荷低下するが、許容できない残り１０％の負荷制限信号ＬＢをＣ軸に渡す。
【０１７７】
Ｃ軸は、自系のガバナ動作と合わせて３０％の負荷低下を要求されることになるが、１５％しか負荷を低下できないため、許容できない残り１５％の負荷制限信号ＬＣをＤ軸に渡す。
【０１７８】
Ｄ軸は、自系のガバナ動作と合わせて３５％の負荷低下を要求されることになるが、３０％しか負荷を低下できないため、許容できない残り５％の負荷制限信号ＬＤをＡ軸に渡す。
【０１７９】
Ａ軸は、自系のガバナ動作と合わせて２５％の負荷低下を行なう。
【０１８０】
なお、図１６では、表現を簡略化するために、自系ガバナ動作の延長で他系からの負荷制限信号による動作が発生するように表現しているが、実際には、自系ガバナ動作と他系からの負荷制限信号による動作が同時に動作する。このため、系統周波数変動と同期した状態で、各系のガバナが動作する。
【０１８１】
また、以上では、一例として順番方式でガスタービン燃料制限信号を連続して渡すようにしているが、これに限らず、運転パターンが固定されている系列プラントでは、負荷制限信号を渡す先を固定するようにしていてもよい。
【０１８２】
このようにして、系統周波数上昇時に、複数台設けられたガスタービン１の安定燃焼の負荷帯をそれぞれ維持することができると共に、ガバナ動作による軸出力の減少を系列として所定量に維持することができる。
【０１８３】
なお、本実施の形態では、コンバインドサイクル発電プラントとして説明しているが、蒸気タービンを配置しないガスタービン発電プラントについても、前述と同様の効果が得られるものである。
【０１８４】
上述したように、本実施の形態のコンバインドサイクル制御装置では、系統周波数上昇時に、各軸Ａ〜Ｄのガスタービン燃料指令の下限を制限するようにしているので、各軸Ａ〜Ｄのガスタービン１の安定燃焼の負荷帯を維持することが可能となる。
【０１８５】
また、所定軸でガバナ動作によるガスタービン１の燃料減動作が下限値で制限された時に、他の軸のガスタービン１の出力を減少させるようにしているので、ガバナ動作による軸出力の減少を系列として所定量に維持することが可能となる。
【０１８６】
これにより、コンバインドサイクル発電プラントの安定運転と系統運用の安定の両方を同時に満足させることができる。
【０１８７】
なお、本実施の形態では、コンバインドサイクル発電プラントに適用した場合の例について述べたが、これに限らず、ガスタービンを複数台設けて構成された系列プラントについても、同様に適用することができるものである。
【０１８８】
【発明の効果】
以上説明したように、請求項１又は請求項２の発明によれば、
ガスタービン燃料変動後遅れて変動する蒸気タービン出力を算出して、ガスタービン出力変動量との総合変動量で軸負荷設定信号を補正するか、
軸ガバナ設定信号もしくは相当信号から系統周波数が安定している時の軸仮想負荷を算出し、この軸仮想負荷と軸負荷測定信号との偏差からガバナ動作による軸負荷の変動量を算出して軸負荷設定信号を補正するか、
軸ガバナ設定信号もしくは相当信号から系統周波数が安定している時の軸仮想負荷を算出し、系統周波数が変動している時には軸仮想負荷フィードバック制御を行なうようにしたので、系統周波数の変動が継続して蒸気タービン出力が変動した場合においても、軸ガバナ設定信号をガバナ動作の逆に動作させるのを防止して、系統運用を安定させることが可能なコンバインドサイクル制御装置が提供できる。
【０１８９】
また、請求項３乃至請求項６の発明によれば、
系統周波数上昇時にガスタービン燃料指令の下限を制限し、ガバナ動作によるガスタ一ビン燃料減動作が下限値で制限された時に蒸気タ一ビン側の出力を減少させ、さらに必要に応じて、ガスタービン燃料指令の変動による蒸気タービンの出力変動の遅れを、ガスタービン燃料指令、または蒸気タービン蒸気流量指令で補正するか、
系統周波数上昇時に蒸気タービン出力を減少させ、蒸気タ一ビン加減弁が全閉になるとガスタービン側の出力を減少させるようにしたので、系統周波数の上昇が大きい場合においても、ガスタービンの安定燃焼の負荷帯を維持し、かつガバナ動作量を所定量に維持することが可能なコンバインドサイクル制御装置が提供できる。
【０１９０】
これにより、コンバインドサイクル発電プラントの安定運転と系統運用の安定の両方を同時に満足させることができる。
【０１９１】
さらに、請求項７の発明によれば、系統周波数上昇時に、各軸のガスタービン燃料指令の下限を制限し、所定軸でガバナ動作によるガスタービン燃料減動作が下限値で制限された時に他の軸のガスタービン出力を減少させるようにしたので、系統周波数の上昇が大きい場合においても、ガスタービンの安定燃焼の負荷帯を維持し、かつガバナ動作量を所定量に維持することが可能なガスタービン制御装置が提供できる。
【０１９２】
これにより、ガスタービンを複数台設けて構成された系列プラントの安定運転と系統運用の安定の両方を同時に満足させることができる。
【図面の簡単な説明】
【図１】本発明によるコンバインドサイクル制御装置の第１の実施の形態を示すブロック図。
【図２】同第１の実施の形態のコンバインドサイクル制御装置における周波数変動補償の動作例を示す時間特性図。
【図３】本発明によるコンバインドサイクル制御装置の第２の実施の形態を示すブロック図。
【図４】同第２の実施の形態のコンバインドサイクル制御装置における軸仮想負荷を算出する関数発生器の一例を示す特性図。
【図５】同第２の実施の形態のコンバインドサイクル制御装置における周波数変動補償の動作例を示す時間特性図。
【図６】本発明によるコンバインドサイクル制御装置の第３の実施の形態を示すブロック図。
【図７】同第３の実施の形態のコンバインドサイクル制御装置における周波数変動補償の動作例を示す時間特性図。
【図８】本発明によるコンバインドサイクル制御装置の第４の実施の形態を示すブロック図。
【図９】同第４の実施の形態のコンバインドサイクル制御装置におけるガバナ指令の動作例を示す時間特性図。
【図１０】本発明によるコンバインドサイクル制御装置の第５の実施の形態を示すブロック図。
【図１１】同第５の実施の形態のコンバインドサイクル制御装置におけるガバナ指令の動作例を示す時間特性図。
【図１２】本発明によるコンバインドサイクル制御装置の第６の実施の形態を示すブロック図。
【図１３】本発明によるコンバインドサイクル制御装置の第７の実施の形態を示すブロック図。
【図１４】同第７の実施の形態のコンバインドサイクル制御装置におけるガバナ指令の動作例を示す時間特性図。
【図１５】本発明によるコンバインドサイクル制御装置の第８の実施の形態を示すブロック図。
【図１６】同第８の実施の形態のコンバインドサイクル制御装置におけるガバナ指令の動作例を示す時間特性図。
【図１７】一般的な一軸型コンバインドサイクル発電プラントの構成例を示すブロック図。
【図１８】図１７の一軸型コンバインドサイクル発電プラントにおける、従来の軸負荷制御装置および軸ガバナ制御装置の構成例を示すブロック図。
【図１９】図１７の一軸型コンバインドサイクル発電プラントにおける、従来の蒸気タービン速度制御装置の構成例を示すブロック図。
【図２０】従来のコンバインドサイクル軸負荷制御装置の動作例を示す図。
【符号の説明】
１…ガスタービン、
２…蒸気タービン、
２ａ…蒸気タービン加減弁、
３…発電機、
４…排熱回収ボイラ、
５…軸負荷制御器、
５ａ…設定器、
５ｂ…比例演算器、
５ｃ…比例演算器、
５ｄ…一次遅れ演算器、
５ｅ…関数発生器、
５ｆ…信号切換器、
６…軸ガバナ制御器、
６ａ…ガバナ設定器、
６ｂ…比例演算器、
６ｃ…設定器、
６ｄ…下限制限器、
６ｅ…比例演算器、
６ｆ…設定器、
６ｇ…関数発生器、
６ｈ…信号切換器、
７…排ガス温度制御器、
８…軸起動制御器、
９…低値選択器、
１０…蒸気タービン速度制御器、
１０ａ…設定器、
１０ｂ…比例演算器、
１０ｃ…比例演算器、
１０ｄ…下限制限器、
１１…スケジュール制御器、
１２…低値選択器。
【図１】
0003792853.tif 000002
【図２】
0003792853.tif 000003
【図３】
0003792853.tif 000004
【図４】
0003792853.tif 000005
【図５】
0003792853.tif 000006
【図６】
0003792853.tif 000007
【図７】
0003792853.tif 000008
【図８】
0003792853.tif 000009
【図９】
0003792853.tif 000010
【図１０】
0003792853.tif 000011
【図１１】
0003792853.tif 000012
【図１２】
0003792853.tif 000013
【図１３】
0003792853.tif 000014
【図１４】
0003792853.tif 000015
【図１５】
0003792853.tif 000016
【図１６】
0003792853.tif 000017
【図１７】
0003792853.tif 000018
【図１８】
0003792853.tif 000019
【図１９】
0003792853.tif 000020
【図２０】
0003792853.tif 000021